(57)【要約】【課題】電源コードの余長部分が外観良く簡単且つ安全に収容され、本体ボディを取付ベースから取り外す作業も簡単となる住宅用防災感知器を提供する。【解決手段】感知部１と電源回路２を内蔵して電源コード３が導出された本体ボディ４と、この本体ボディ４を設置面５に取り付け固定するための取付ベース６と、を備え、本体ボディ４の裏面中程に係合軸体７を突設し、取付ベース６の表面に係合受け部８を形成して、この係合受け部８に係合軸体７の先端部分を挿入係止することで、本体ボディ４が取付ベース６に取着一体化され、電源コード３は本体ボディ４と取付ベース６との間隔部分に巻き取り収容される住宅用防災感知器において、電源コード３を本体ボディ４の裏面に沿って巻き取られるように保持する保持手段Ａ、Ｂを設けた。【選択図】          図１
2004178026.tif 000002
【特許請求の範囲】
【請求項１】
感知部と電源回路とを内蔵し、同電源回路に接続される電源コードが導出された本体ボディと、この本体ボディを建物内の設置面に取り付け固定するための取付ベースと、を備え、本体ボディの裏面中程に係合軸体を突設し、取付ベースの表面の同係合軸体と対応する位置に係合受け部を形成して、この係合受け部に前記係合軸体の先端部分を挿入係止することで、同本体ボディが取付ベースに取着一体化される住宅用防災感知器において、本体ボディから導出された電源コードが、係合軸体の回りに巻き取られて取付ベースと同本体ボディとの間隔部分に収容される住宅用防災感知器であって、電源コードが係合軸体に巻き付き絡まないよう本体ボディの裏面に沿って巻き取られるように、この電源コードを保持する保持手段を同本体ボディに設けてなる住宅用防災感知器。
【請求項２】
本体ボディの裏面中程で係合軸体の近傍位置から電源コードを導出させたことを特徴とする請求項１記載の住宅用防災感知器。
【請求項３】
本体ボディの裏面に係合軸体を中心とする渦巻き状のガイド溝を形成し、このガイド溝が電源コードの巻き取り部位を同裏面に係合保持する保持手段となることを特徴とする請求項２記載の住宅用防災感知器。
【請求項４】
本体ボディの裏面周縁部分に凹欠状段部を形成し、この凹欠状段部が電源コードの巻き取り最終部位を同裏面周縁部分に嵌合保持する保持手段となることを特徴とする請求項２記載の住宅用防災感知器。
【請求項５】
本体ボディの裏面周縁部分に周方向で略等間隔に複数の凹欠状段部を配置形成して保持手段を配設したことを特徴とする請求項４記載の住宅用防災感知器。
【請求項６】
本体ボディの裏面をその周辺側程が取付ベースから離れるように傾斜させて形成したことを特徴とする請求項１〜５のいずれか一つに記載の住宅用防災感知器。
【発明の詳細な説明】
【０００１】
【発明の属する技術分野】
本発明は、電源コードが導出された本体ボディと、この本体ボディを取り付け固定するための取付ベースと、を備え、同電源コードの余長部分が取付ベースと本体ボディとの間隔部分に巻き取り収容される住宅用防災感知器に関するものである。
【０００２】
【従来の技術】
従来から、図５に示す如く、本体ボディ４とこの本体ボディ４を建物内の設置面５に取り付け固定するための取付ベース６とを備え、本体ボディ４の裏面中程に係合軸体７を突設し、取付ベース６の表面の同係合軸体７と対応する位置に係合受け部８を形成し、この係合受け部８に前記係合軸体７の先端部分を挿入係止することによって、同本体ボディ４が取付ベース６に取着一体化される住宅用防災感知器は知られている（特開平１０−１０５８４９号公報〔図３〕参照）。
【０００３】
この住宅用防災感知器は、台所等のガス漏れを検知すると警報（有電圧信号）を出力するガス漏れ警報器であり、前記本体ボディ４、取付ベース６の他、電源コードを備えている。この場合、本体ボディ４には感知部、電源回路、警報手段等が内蔵され、電源コードは、その一端が同電源回路に接続され、他端には給電部（住宅用の交流１００Ｖ電源ラインのコンセント）に差し込むためのプラグが接続されている。
【０００４】
又、本体ボディ４に突設される係合軸体７は一対の起立片１６でなり、両起立片１６の先端部分に外方へ折曲した係合爪部１７が形成されている。他方、取付ベース６に形成される係合受け部８は一対のスリット２３でなり、両スリット２３に前記係合爪部１７と対応する挿入口部２４が形成されている。そして、係合爪部１７を挿入口部２４から挿入して本体ボディ４を回動させると、起立片１６はスリット２３に抜け外れないよう係止され、これにより、係合受け部８に係合軸体７の先端部分が挿入係止されて、同本体ボディ４は取付ベース６に取着一体化される。すなわち、係合軸体７を係合受け部８に対し、所謂、ツイストロック方式で挿入係止させることにより、本体ボディ４が取付ベース６に取着一体化されるものである。
【０００５】
又、取付ベース６には位置決め用孔２０と位置調整用孔２１とが配設形成されており、この位置決め用孔２０及び位置調整用孔２１に挿通されるネジ２２によって、同取付ベース６は設置面５となる壁面に取り付け固定される。取付ベース６が設置面５に取り付け固定された状態で、前記の如く、本体ボディ４は同取付ベース６に取着一体化される。そして、本体ボディ４から導出された電源コードが、係合軸体７の回りに巻き取られて取付ベース６と同本体ボディ４との間隔部分に収容されるものである。
【０００６】
この場合、本体ボディ４に突設される起立片１６の突出高さを、取付ベース６の肉厚よりも十分に大きくすることで、この本体ボディ４を同取付ベース６に取り付けると両者の間には間隔が形成され、この間隔部分に電源コードの余長部分を巻き取り収容することができるものである。したがって、この住宅用防災感知器では、本体ボディ４を取付ベース６を介して設置面５に対し簡単に取り付け固定することができ、電源コードの余長部分も外観良く隠し納められる。
【０００７】
【特許文献１】
特開平１０−１０５８４９号公報
【０００８】
【発明が解決しようとする課題】
しかしながら、上記従来の技術にあっては、本体ボディ４を取付ベース６に取着一体化させた後でないと、この両者の間に電源コードを巻き取り収容することができないものであり、同電源コードの巻き取り収容作業は困難で安全性にも問題を生じるものであった。すなわち、本体ボディ４に突設された係合軸体７の外周に電源コードを巻き付けると、この巻き付いた電源コードが邪魔になって、同係合軸体７を取付ベース６の係合受け部８に挿入係止し難くなってしまうものであった。
【０００９】
そのため、本体ボディ４を取付ベース６に取着一体化させた後に、この両者の間に電源コードを巻き取り収容することになり、この場合、同両者間に形成された間隔部分に外側から電源コードの余長部分を差し込むように収容して巻き取らなければならず、この巻き取り収容作業が困難で、特に、高所作業となるときには安全性にも問題を生じるものであった。又、係合軸体７の外周に巻き付いた電源コードは絡み易く、同係合軸体７を係合受け部８から抜き外して本体ボディ４を取付ベース６から取り外す際に、同絡んだ電源コードが支障となって取り外し難くなるという問題もあった。
【００１０】
本発明は、上記従来の技術における問題を悉く解決するために発明されたもので、その課題は、電源コードの余長部分が外観良く納められ、この電源コードの余長部分を巻き取り収容する作業は簡単且つ安全で、同電源コードの絡みが防止されて、本体ボディを取付ベースから取り外す作業も簡単となる住宅用防災感知器を提供することである。
【００１１】
【課題を解決するための手段】
本発明の請求項１記載の住宅用防災感知器は、感知部と電源回路とを内蔵し、同電源回路に接続される電源コードが導出された本体ボディと、この本体ボディを建物内の設置面に取り付け固定するための取付ベースと、を備え、本体ボディの裏面中程に係合軸体を突設し、取付ベースの表面の同係合軸体と対応する位置に係合受け部を形成して、この係合受け部に前記係合軸体の先端部分を挿入係止することで、同本体ボディが取付ベースに取着一体化される住宅用防災感知器において、本体ボディから導出された電源コードが、係合軸体の回りに巻き取られて取付ベースと同本体ボディとの間隔部分に収容される住宅用防災感知器であって、電源コードが係合軸体に巻き付き絡まないよう本体ボディの裏面に沿って巻き取られるように、この電源コードを保持する保持手段を同本体ボディに設けてなる。
【００１２】
したがって、この場合、電源コードが係合軸体に巻き付き絡まないよう本体ボディの裏面に沿って巻き取られるように、この電源コードを保持する保持手段を同本体ボディに設けているので、この保持手段によって同電源コードの余長部分を保持させ、同本体ボディの係合軸体の回りに予め巻き取っておいて、取付ベースに同本体ボディを取着一体化することで、両者の間に形成される間隔部分に収容させることができる。
【００１３】
それ故、電源コードの余長部分が取付ベースと本体ボディとの間隔部分に外観良く納められ、この電源コードの余長部分を巻き取り収容する作業は、同本体ボディを取付ベースに取着一体化させる前に予めこの本体ボディ側で行うことができて、簡単且つ安全となる。しかも、電源コードの余長部分は係合軸体に巻き付き絡まないよう本体ボディの裏面に沿って巻き取られるので、この本体ボディを取付ベースから支障なく簡単に取り外すことができる。
【００１４】
本発明の請求項２記載の住宅用防災感知器は、上記請求項１記載の住宅用防災感知器において、本体ボディの裏面中程で係合軸体の近傍位置から電源コードを導出させたことを特徴とする。
【００１５】
したがって、この場合は特に、電源コードの導出位置が本体ボディの裏面中程で係合軸体の近傍となるので、この本体ボディの裏面中程から導出された同電源コードは外周側へとスムーズに巻き取られて保持手段で保持される。
【００１６】
本発明の請求項３記載の住宅用防災感知器は、上記請求項２記載の住宅用防災感知器において、本体ボディの裏面に係合軸体を中心とする渦巻き状のガイド溝を形成し、このガイド溝が電源コードの巻き取り部位を同裏面に係合保持する保持手段となることを特徴とする。
【００１７】
したがって、この場合は特に、本体ボディの裏面に係合軸体を中心とする渦巻き状のガイド溝でなる保持手段が形成されるので、同本体ボディの裏面中程から導出された電源コードは同保持手段で係合保持され、この電源コードの巻き取り部位を所定経路に沿って確実に巻き取り保持させることができる。
【００１８】
本発明の請求項４記載の住宅用防災感知器は、上記請求項２記載の住宅用防災感知器において、本体ボディの裏面周縁部分に凹欠状段部を形成し、この凹欠状段部が電源コードの巻き取り最終部位を同裏面周縁部分に嵌合保持する保持手段となることを特徴とする。
【００１９】
したがって、この場合は特に、本体ボディの裏面周縁部分に凹欠状段部でなる保持手段が形成されるので、同本体ボディの裏面中程から導出された電源コードの巻き取り最終部位は同裏面周縁部分の保持手段で嵌合保持され、この電源コードの余長部分となる巻き取り長さを適切に設定して、この巻き取り長さを確実に保持することにより、同電源コードのその他の部分における配線の弛みを防止することができる。
【００２０】
本発明の請求項５記載の住宅用防災感知器は、上記請求項４記載の住宅用防災感知器において、本体ボディの裏面周縁部分に周方向で略等間隔に複数の凹欠状段部を配置形成して保持手段を配設したことを特徴とする。
【００２１】
したがって、この場合は特に、本体ボディの裏面周縁部分に周方向で略等間隔に保持手段となる凹欠状段部が複数配置形成されるので、複数の同凹欠状段部から一つを選択してこれに電源コードの巻き取り最終部位を嵌合保持させることにより、同電源コードの巻き取り長さはより広範囲で適切に設定され、この電源コードの同本体ボディから外側方へ突出されて配線される配線突出方向の変更にも容易に対応することができる。
【００２２】
本発明の請求項６記載の住宅用防災感知器は、上記請求項１〜５のいずれか一つに記載の住宅用防災感知器において、本体ボディの裏面をその周辺側程が取付ベースから離れるように傾斜させて形成したことを特徴とする。
【００２３】
したがって、この場合は特に、本体ボディの裏面がその周辺側程取付ベースから離れるように傾斜されて形成されるので、電源コードは同本体ボディの裏面でその周辺側へとスムーズに巻き取られ、同電源コードの余長部分を巻き取り収容する作業がより簡単となる。
【００２４】
【発明の実施の形態】
図１〜４は、本発明の請求項１〜６全てに対応した一実施形態である住宅用防災感知器を示している。この実施形態の住宅用防災感知器は、感知部１と電源回路２とを内蔵し、同電源回路２に接続される電源コード３が導出された本体ボディ４と、この本体ボディ４を建物内の設置面５に取り付け固定するための取付ベース６と、を備えている。そして、本体ボディ４の裏面中程に係合軸体７を突設し、取付ベース６の表面の同係合軸体７と対応する位置に係合受け部８を形成しており、この係合受け部８に前記係合軸体７の先端部分を挿入係止することによって、同本体ボディ４が取付ベース６に取着一体化される。
【００２５】
更に、この実施形態の住宅用防災感知器では、本体ボディ４から導出された電源コード３が、係合軸体７の回りに巻き取られて取付ベース６と同本体ボディ４との間隔部分に収容される。ここで、電源コード３が係合軸体７に巻き付き絡まないよう本体ボディ４の裏面に沿って巻き取られるように、この電源コード３を保持する保持手段Ａ、Ｂを同本体ボディ４に設けており、又、この本体ボディ４の裏面中程で係合軸体７の近傍位置から同電源コード３を導出（導出部位３ｂ）させてもいる。
【００２６】
又、この実施形態の住宅用防災感知器では、本体ボディ４の裏面に係合軸体７を中心とする渦巻き状のガイド溝９を形成して、このガイド溝９が電源コード３の巻き取り部位を同裏面に係合保持する保持手段Ａとなる。又、本体ボディ４の裏面周縁部分に凹欠状段部１０を形成して、この凹欠状段部１０が電源コード３の巻き取り最終部位３ｃを同裏面周縁部分に嵌合保持する保持手段Ｂとなる。この場合に、本体ボディ４の裏面周縁部分に周方向で略等間隔に複数の凹欠状段部１０を配置形成して保持手段Ｂを配設しており、更に、同本体ボディ４の裏面をその周辺側程が取付ベース６から離れるように傾斜させて形成してもいる。
【００２７】
以下、この実施形態の住宅用防災感知器を、より具体的に説明する。この住宅用防災感知器は住宅用の火災警報器であり、感知部１にて煙や熱等が検知されると、警報（有電圧信号）を発する（出力する）ものである。なお、住宅用防災感知器としては、火災警報器の他、ガス漏れ警報器や検知機能のみを有して他の報知機器へと検知信号を送信するものであってもよい。そして、この住宅用防災感知器では、本体ボディ４、取付ベース６、電源コード３等を備えている。
【００２８】
本体ボディ４は略円盤状の中空ケース状で合成樹脂や金属等でなり、略器形状の裏カバー部材４ａと表カバー部材４ｂとを分割可能に結合して形成される。裏カバー部材４ａと表カバー部材４ｂとは、その周縁部分で相互に係止結合されて嵌着一体化され、中空ケース状の本体ボディ４となる。そして、本体ボディ４の中空内部には、プリント基板１１、これに搭載される電源回路２や感知部１、ブザー或いはベル等の警報手段１２、スイッチ１４が収容設置されている。
【００２９】
ここでは、感知部１が火災の際に発生する煙を検知するもので、投光素子、投光レンズ、受光素子、ラビリンス等を内蔵した光学台を用いたものである。感知部１としては、光学台を用いた煙検知式のもの以外で、半導体を用いた熱検知式のものであってもよく、又、ガスの存在を検知するものであってもよい。感知部１での検知結果は、検知信号として警報手段１２へと送信され、この警報手段１２にてブザーやベル等で報知され、火災発生警報が発せられる。
【００３０】
感知部１は本体ボディ４の表カバー部材４ｂの略中央で、下方へ突出するように収容され、その周囲は防虫網等が設けられて開放されている。表カバー部材４ｂの感知部１の側方にはスイッチ１４が設けられ、このスイッチ１４の反対側には複数のスリット状の孔１３が穿設されており、この複数の孔１３は前記警報手段１２と対応する位置に配設形成されて、この警報手段１２による発生音が同複数の孔１３を通じて外部に報知され易いようになっている。なお、前記スイッチ１４は、通常の監視状態では動作チェックを行う際に操作され、火災警報状態では一定時間の警報停止を行う際に操作される。
【００３１】
そして、前記電源回路２には電源コード３の一端３ａが接続され、この電源コード３の他端には給電部（住宅用の交流１００Ｖ電源ラインのコンセント）に差し込むためのプラグ１５が接続されている。電源コード３は本体ボディ４の裏カバー部材４ａの中程で、係合軸体７の近傍位置から同本体ボディ４の外部へと導出されている。この電源コード３の導出部位３ｂを始点として渦巻き状に回り拡開するように、ガイド溝９が本体ボディ４の裏カバー部材４ａの裏面に形成され、同ガイド溝９は同電源コード３の巻き取り部位を係合保持する保持手段Ａとなる。
【００３２】
この場合、図４（ａ）に示す如く、保持手段Ａとなるガイド溝９は角溝で、断面略矩形状の電源コード３が係合保持される。又、電源コード３はガイド溝９の外側最終端の手前の適所でこのガイド溝９から離脱され、この離脱個所が同電源コード３の巻き取り最終部位３ｃとして保持手段Ｂで嵌合保持される。保持手段Ｂは本体ボディ４の裏カバー部材４ａの周縁部分に略等間隔にして配設形成される四つの凹欠状段部１０でなり、選択される一つの凹欠状段部１０に電源コード３の巻き取り最終部位３ｃが嵌合保持される。
【００３３】
この場合、図４（ｂ）に示す如く、保持手段Ｂとなる各凹欠状段部１０は角型開口として形成され、その開口縁に両側で対向する凸起２５が形成されていて、両凸起２５によって同凹欠状段部１０内に差し込まれた電源コード３は抜け外れないよう嵌合保持される。この保持手段Ｂとなる各凹欠状段部１０や前記保持手段Ａとなるガイド溝９は、本体ボディ４の裏カバー部材４ａと一体に形成されており、同保持手段Ａ及び保持手段Ｂに電源コード３を保持させた状態で、この本体ボディ４が取付ベース６に取着一体化される。
【００３４】
又、本体ボディ４に突設される係合軸体７は一対の起立片１６でなり、同本体ボディ４の裏カバー部材４ａの裏面中程で一体に突出形成され、両起立片１６の先端部分に内方へ折曲した係合爪部１７が形成されている。他方、取付ベース６に形成される係合受け部８は一対のスリット２３でなり、両スリット２３に前記係合爪部１７と対応する挿入口部２４が形成されている。係合軸体７となる両起立片１６及び係合受け部８となる両スリット２３は、いずれも同一径の円弧軌道上に配設され、両者は相互に係合された状態で回動される。
【００３５】
そして、係合爪部１７を挿入口部２４から挿入して本体ボディ４を係合軸体７と共に回動させると、この係合軸体７となる起立片１６は係合受け部８となるスリット２３に抜け外れないよう係止される。これにより、係合受け部８に係合軸体７の先端部分が挿入係止されて、本体ボディ４は取付ベース６に取着一体化される。すなわち、係合軸体７を係合受け部８に対し、所謂、ツイストロック方式で挿入係止させることによって、本体ボディ４は取付ベース６に取着一体化される。
【００３６】
又、取付ベース６は裏側に開口した略円形の偏平器形状に形成され、底板部１８と周壁部１９とでなり、合成樹脂や金属等で一体に形成されたものである。取付ベース６の底板部１８には、前記両スリット２３でなる係合受け部８の他、位置決め用孔２０と位置調整用孔２１とが配設形成されており、この位置決め用孔２０及び位置調整用孔２１に挿通されるネジ２２によって、同取付ベース６は建物内で設置面５となる天井面に取り付け固定される。
【００３７】
そして、取付ベース６が設置面５となる高所の天井面に取り付け固定された状態で、前記の如く、本体ボディ４は同取付ベース６に取着一体化される。その際に、本体ボディ４には、予め、電源コード３が係合軸体７の回りでこれに巻き付き絡まないよう同本体ボディ４の裏面に沿って巻き取られており、この状態は保持手段Ａと保持手段Ｂとで保持されている。又、この場合、本体ボディ４に突設された係合軸体７となる起立片１６の突出高さが取付ベース６の係合受け部８における肉厚よりも十分に大きく形成されており、そのため、この本体ボディ４を同取付ベース６に取り付けると両者の間には間隔が形成され、この間隔部分に電源コード３の余長部分は巻き取り収容されることとなる。
【００３８】
したがって、この実施形態の住宅用防災感知器においては、電源コード３が係合軸体７に巻き付き絡まないよう本体ボディ４の裏面に沿って巻き取られるように、この電源コード３を保持する保持手段Ａ、Ｂを同本体ボディ４に設けているので、この保持手段Ａ、Ｂによって同電源コード３の余長部分を保持させ、同本体ボディ４の係合軸体７の回りに予め巻き取っておいて、取付ベース６に同本体ボディ４を取着一体化することで、両者の間に形成される間隔部分にここからはみ出さないよう確実に収容させることができる。
【００３９】
それ故に、電源コード３の余長部分が取付ベース６と本体ボディ４との間隔部分に外観良く納められ、この電源コード３の余長部分を巻き取り収容させる作業は、同本体ボディ４を取付ベース６に取着一体化させる前に、予め、この本体ボディ４側で低所作業として行うことができ、簡単且つ安全となる。しかも、電源コード３の余長部分は係合軸体７に巻き付き絡まないよう本体ボディ４の裏面に沿って巻き取られるので、この巻き取られた電源コード３は巻き重なることなく前記間隔部分でコンパクトに納まり、同本体ボディ４を取付ベース６から支障なく簡単に取り外すこともできる。
【００４０】
又、この実施形態の住宅用防災感知器においては、電源コード３の導出位置３ｂが本体ボディ４の裏面中程で係合軸体７の近傍となるので、この本体ボディ４の裏面中程から導出された同電源コード３は外周側へとスムーズに巻き取られて保持手段Ａ更には保持手段Ｂで保持される。又、この場合、本体ボディ４の裏面に係合軸体７を中心とする渦巻き状のガイド溝９でなる保持手段Ａが形成されるので、同本体ボディ４の裏面中程から導出された電源コード３は同保持手段Ａで係合保持され、この電源コード３の巻き取り部位を所定経路に沿って確実に巻き取り保持させることができる。
【００４１】
しかも、本体ボディ４の裏面周縁部分に凹欠状段部１０でなる保持手段Ｂが形成されるので、同本体ボディ４の裏面中程から導出された電源コード３の巻き取り最終部位３ｃは同裏面周縁部分の保持手段Ｂで嵌合保持され、この電源コード３の余長部分となる巻き取り長さを適切に設定して、この巻き取り長さを確実に保持することにより、同電源コード３の巻き取り部位の前記間隔部分からのはみ出しが確実に防止され、同電源コード３のその他の部分における配線の弛みも防止される。ここで、設置面５となる天井面では、電源コード３が弛まないように留め具２６で保持固定されている。
【００４２】
更に、この場合、本体ボディ４の裏面周縁部分に周方向で略等間隔に保持手段Ｂとなる凹欠状段部１０が複数配置形成されるので、複数の同凹欠状段部１０から一つを選択してこれに電源コード３の巻き取り最終部位３ｃを嵌合保持させることにより、同電源コード３の巻き取り長さはより広範囲で適切に設定され、この電源コード３の同本体ボディ４から外側方へ突出されて配線される配線突出方向の変更にも容易に対応することができる。
【００４３】
又、この実施形態の住宅用防災感知器においては、本体ボディ４の裏面となる裏カバー部材４ａの上面が、その周辺側程取付ベース６から離れるように外下方へ傾斜されて形成されるので、電源コード３は同本体ボディ４の裏面でその周辺側外方へとスムーズに巻き取られ易くなり、同電源コード３の余長部分を巻き取り収容する作業がより簡単となる。
【００４４】
なお、本発明の住宅用防災感知器における係合軸体７及び係合受け部８は、上記実施形態のように回動係止される形態のものに限られず、例えば、係合軸体７の先端部分が係合受け部８に挿入されるだけで嵌合係止されるような形態のものであってもよい。又、本発明の住宅用防災感知器は、天井面の他、壁面、床面等を設置面５として、この設置面５に取り付け固定されてもよい。
【００４５】
【発明の効果】
上述の如く、本発明の請求項１記載の住宅用防災感知器においては、電源コードの余長部分が取付ベースと本体ボディとの間隔部分に外観良く納められ、この電源コードの余長部分を巻き取り収容する作業は、同本体ボディ側で予め行うことができて簡単且つ安全であり、この本体ボディを同取付ベースから支障なく簡単に取り外すこともできる。
【００４６】
又、本発明の請求項２記載の住宅用防災感知器においては、特に、本体ボディの裏面中程の係合軸体の近傍位置から導出された電源コードが、同裏面で外周側へとスムーズに巻き取られて保持手段で保持される。
【００４７】
又、本発明の請求項３記載の住宅用防災感知器においては、特に、電源コードを渦巻き状のガイド溝でなる保持手段で係合保持させることによって、同電源コードの巻き取り部位を本体ボディの裏面上で所定経路に沿って確実に巻き取り保持させることができる。
【００４８】
又、本発明の請求項４記載の住宅用防災感知器においては、特に、電源コードの巻き取り最終部位を凹欠状段部でなる保持手段で嵌合保持させ、この電源コードの余長部分となる巻き取り長さを適切に設定して確実に保持させることによって、同電源コードの配線のその他の部分での弛みを防止することができる。
【００４９】
又、本発明の請求項５記載の住宅用防災感知器においては、特に、選択される一つの凹欠状段部に電源コードの巻き取り最終部位を嵌合保持させることによって、同電源コードの巻き取り長さはより広範囲で適切に設定され、この電源コードの配線突出方向の変更にも容易に対応することができる。
【００５０】
又、本発明の請求項６記載の住宅用防災感知器においては、特に、本体ボディの裏面が傾斜していることによって、電源コードは同本体ボディの裏面でその周辺側へとスムーズに巻き取られ、同電源コードの余長部分を巻き取り収容する作業がより簡単となる。
【図面の簡単な説明】
【図１】本発明の一実施形態である住宅用防災感知器の取付状態を示す断面図。
【図２】同住宅用防災感知器の分解状態を示す斜視図。
【図３】同住宅用防災感知器の取付状態における外観を示す斜視図。
【図４】同住宅用防災感知器の保持手段における電源コードの保持状態を示し、（ａ）はガイド溝でなる保持手段Ａでの保持状態を示す断面図、（ｂ）は凹欠状段部でなる保持手段Ｂでの保持状態を示す断面図。
【図５】従来例である住宅用防災感知器を示し、（ａ）はその分解状態を示す斜視図、（ｂ）はその取付状態を示す断面図。
【符号の説明】
１  感知部
２  電源回路
３  電源コード
４  本体ボディ
５  設置面
６  取付ベース
７  係合軸体
８  係合受け部
９  ガイド溝
１０  凹欠状段部
Ａ  保持手段
Ｂ  保持手段
【図１】
2004178026.tif 000003
【図２】
2004178026.tif 000004
【図３】
2004178026.tif 000005
【図４】
2004178026.tif 000006
【図５】
2004178026.tif 000007